(57)【特許請求の範囲】
【請求項１】
アームの側面に沿って形成され、前記アームの先端に達する受けみぞと、
前記受けみぞに対応する大きさの平板状をなし、レザーを保持し、前記アームの先端において、前記受けみぞにはめ込まれ、取り付けられるカートリッジ式ホルダと、
前記アームに組み込まれ、前記ホルダを抜けないようロックするロック機構とからなり、
前記レザーが前記アームの側面に平行に配置され、その刃先が前記ホルダおよびアームから突出し、前記刃先によってウエブ材料がスリットされるようにし、
前記ロック機構はそのロック作用を解除するレバーまたはプッシュバーを有し、前記レバーまたはプッシュバーは前記アームの側面に平行にのび、前記アームの一方側において、前記刃先が前記アームおよびホルダから突出し、前記アームの他方側において、前記レバーまたはプッシュバーが前記アームから突出していることを特徴とするスリッタのレザー取り付け装置。
【請求項２】
アームの側面に沿って形成され、前記アームの先端に達する受けみぞと、
前記受けみぞに対応する大きさの平板状をなし、レザーを保持し、前記アームの先端において、前記受けみぞにはめ込まれ、取り付けられるカートリッジ式ホルダと、
前記アームに組み込まれ、前記ホルダを抜けないようロックするロック機構とからなり、
前記レザーが前記アームの側面に平行に配置され、その刃先が前記ホルダおよびアームから突出し、前記刃先によってウエブ材料がスリットされるようにし、
受けみぞが前記ホルダの側面に沿って形成され、前記レザーが前記ホルダの受けみぞにはめ込まれ、前記ホルダの受けみぞにおいて、肩部が２段階に形成されており、長さおよび高さの異なる２種類のレザーのうち、一方の種類のレザーを一方の段階の肩部に係合させ、位置決めすることができ、他方の種類のレザーを他方の段階の肩部に係合させ、位置決めすることもできるようにしたことを特徴とするスリッタのレザー取り付け装置。
【発明の詳細な説明】
【０００１】
【産業上の利用分野】
この発明は、紙、プラスチックフィルムなどのウエブ材料をスリットするスリッタに関するものであり、特にそのレザー取り付け装置に関するものである。
【０００２】
【従来技術とその問題点】
紙、プラスチックフィルムなどのウエブ材料をスリットするスリッタでは、レザーがアームの適所に取り付けられ、その刃先によってウエブ材料がスリットされることが多い。この場合、レザーの破損や摩耗毎に、それを新しいレザーと交換する必要がある。さらに、ウエブ材料によってレザーを交換することが要求される。しかしながら、レザーを交換するには、アームの設置位置において、レザーをアームから取り外し、再度取り付けねばならず、その作業は容易ではない。時間および労力が要求される。レザーによって作業者が負傷するおそれもあり、危険であり、その改善が強く要望されている。
【０００３】
【発明の目的】
したがって、この発明は、スリッタのレザー取り付け装置を新たに提供し、レザーの交換作業が容易であり、安全であるようにすることを目的としてなされたものである。
【０００４】
【発明の構成】
この発明によれば、ホルダがアームと組み合わされ、受けみぞがアームの側面に沿って形成され、受けみぞはアームの先端に達する。ホルダはカートリッジ式のもので、アームの受けみぞに対応する大きさの平板状をなす。そして、ホルダにレザーが保持され、アームの先端において、ホルダがアームの受けみぞにはめ込まれ、取り付けられる。さらに、ロック機構がアームに組み込まれ、ホルダが抜けないようロックされ、レザーがアームの側面に平行に配置され、その刃先がホルダおよびアームから突出し、刃先によってウエブ材料がスリットされる。
【０００５】
好ましい実施例では、ロック機構はそのロック作用を解除するレバーまたはプッシュバーを有し、レバーまたはプッシュバーはアームの側面に平行にのびる。さらに、アームの一方側において、刃先がアームおよびホルダから突出し、アームの他方側において、レバーまたはプッシュバーがアームから突出する。
【０００６】
さらに、好ましい実施例では、受けみぞがホルダの側面に沿って形成され、レザーがホルダの受けみぞにはめ込まれ、ホルダの受けみぞにおいて、肩部が２段階に形成され、長さおよび高さの異なる２種類のレザーのうち、一方の種類のレザーが一方の段階の肩部に係合し、位置決めされる。他方の種類のレザーを他方の段階の肩部に係合させ、位置決めすることもできる。
【０００７】
さらに、好ましい実施例では、受けみぞがホルダの側面に沿って形成され、その受けみぞにマグネットが設けられ、レザーがホルダの受けみぞにはめ込まれる。さらに、プレートがホルダの受けみぞにはめ込まれ、レザーに重ね合わされ、マグネットに吸着され、プレートおよびマグネットによってレザーが保持される。さらに、アームの側面に板ばねが設けられ、ホルダがアームの受けみぞにはめ込まれたとき、板ばねがホルダのプレートに押し付けられ、板ばねによってホルダが保持される。
【０００８】
さらに、好ましい実施例では、板ばねは樹脂材からなる先端を有する。そして、その樹脂材がホルダのプレートに押し付けられ、これによってホルダが保持される。
【０００９】
【実施例の説明】
以下、この発明の実施例を説明する。
【００１０】
図１はこの発明にかかる装置を示す。この装置は紙、プラスチックフィルムなどのウエブ材料１をスリットするスリッタのレザー取り付け装置であり、ホルダ２がアーム３と組み合わされ、受けみぞ４がアーム３の側面５に沿って形成されており、受けみぞ４はアーム３の先端６に達する。ホルダ２はカートリッジ式のもので、受けみぞ４に対応する大きさの平板状をなす。そして、ホルダ２にレザー７ａ，７ｂが保持され、アーム３の先端６において、ホルダ２がアーム３の受けみぞ４にはめ込まれ、取り付けられ、レザー７ａ，７ｂがアーム３の側面に平行に配置され、その刃先８がホルダ２およびアーム３から突出する。したがって、たとえば、ウエブ材料１をローラ９の外周面に沿って送り、アーム３をウエブ材料１の送り方向Ｘに平行の方向に配置すると、レザー７ａ，７ｂをウエブ材料１の送り方向Ｘに平行に配置することができ、刃先８によってウエブ材料１をスリットすることができる。ホルダ２はそれを操作する取っ手１０を有する。
【００１１】
ホルダ２とレザー７ａ，７ｂの関係については、図２に示すように、受けみぞ１１がホルダ２の側面に沿って形成され、その受けみぞ１１にマグネット１２が設けられており、レザー７ａ，７ｂがホルダ２の受けみぞ１１にはめ込まれる。レザー７ａ，７ｂは金属製または非磁性体製のものである。さらに、その後、プレート１３がホルダ２の受けみぞ１１にはめ込まれる。プレート１３は金属製のもので、レザー７ａ，７ｂに重ね合わされ、マグネット１２に吸着される。したがって、プレート１３およびマグネット１２によってレザー７ａ，７ｂが保持されるものである。さらに、図３および図４に示すように、アーム３の側面５に板ばね１５が設けられ、ボルト１４によって板ばね１５が取り付けられており、ホルダ２がアーム３の受けみぞ４にはめ込まれたとき、板ばね１５がホルダ２のプレート１３に押し付けられ、板ばね１５によってホルダ２が保持される。
【００１２】
さらに、ホルダ２の受けみぞ１１において、肩部１６ａ，１６ｂが２段階に形成されており、長さＬおよび高さＨの異なる矩形状の２種類のレザー７ａ，７ｂのうち、一方の種類のレザー７ａが一方の段階の肩部１６ａに係合し、位置決めされる。他方の種類のレザー７ｂを他方の段階の肩部１６ｂに係合させ、位置決めすることもできる。したがって、レザー７ａ，７ｂの長さＬおよび高さＨに関係なく、その刃先８をウエブ材料１に接触させ、刃先８によってウエブ材料１をスリットすることができる。
【００１３】
この装置では、ロック機構がアーム３に組み込まれ、ホルダ２が抜けないようロックされる。ロック機構はそのロック作用を解除するレバー１７を有し、レバー１７はアーム３の側面５に平行にのびる。その方向はアーム３の幅方向である。さらに、ピン１８がアーム３に設けられ、レバー１７を貫通しており、レバー１７はピン１８のまわりを揺動可能である。さらに、図５に示すように、つめ１９がレバー１７に形成され、その収容みぞ２０がホルダ２に形成されており、図６に示すように、圧縮ばね２１がアーム３に設けられ、圧縮ばね２１によってレバー１７が弾性付勢されている。したがって、ホルダ２がアーム３の受けみぞ４にはめ込まれたとき、まず、ホルダ２によってつめ１９が押され、レバー１７はピン１８のまわりを揺動する。その後、収容みぞ２０がつめ１９の位置に達し、圧縮ばね２１によってレバー１７が押され、揺動し、つめ１９が収容みぞ２０にはめ込まれ、収容される。したがって、つめ１９によってホルダ２がロックされるものであり、ホルダ２はアーム３から抜けない。さらに、この装置では、レザー７ａ，７ｂがアーム３の側面５に平行に配置され、アーム３の一方側において、刃先８がホルダ２およびアーム３から突出する。そして、アーム３の他方側において、レバー１７がアーム３から突出している。したがって、刃先８の反対側でレバー１７を操作し、揺動させ、つめ１９を収容みぞ２０から抜くことができ、レバー１７によってそのロック作用を解除することができる。
【００１４】
なお、アーム３は支軸２２のまわりを揺動可能であり、任意の角度位置で固定することができる。アーム３を支軸２２から取り外すこともできる。さらに、この実施例では、アーム３の一方側に平坦面２３が形成されており、アーム３の取り外し後、平坦面２３を床面に接触させ、アーム３を安定した状態で直立させ、保管することができる。さらに、平坦面２３はレザー７ａ，７ｂに平行にのび、レザー７ａ，７ｂは平坦面２３よりもわずかに内側に位置する。したがって、ホルダ２をはめ込んだまま、平坦面２３を床面に接触させ、アーム３をその状態で直立させ、保管することも可能である。さらに、アーム３は板ばね１５に隣接する受け面２４を有し、受け面２４は側面５と同一の面内に形成されている。したがって、複数のアーム３を保管するにあたって、それを順次並列させ、側面５および受け面２４を隣接アームに接触させることもできる。
【００１５】
この装置によってウエブ材料１をスリットするとき、普通、複数のアーム３において、それぞれホルダ２がはめ込まれ、各アーム３が支軸２２に取り付けられ、固定される。したがって、複数のレザー７ａ，７ｂがウエブ材料１の送り方向Ｘに平行に配置され、その刃先８がウエブ材料１に接触し、刃先８によってウエブ材料１がスリットされるものである。そして、スリットされるとき、その反力がレザー７ａ，７ｂに生じ、ホルダ２の受けみぞ１１において、その肩部１６ａ，１７ｂがレザー７ａ，７ｂの反力を受ける。さらに、その反力がホルダ２に伝達され、つめ１９がホルダ２の反力を受け、これがアーム３に伝達される。したがって、レザー７ａ，７ｂの反力を的確に支持することができ、ウエブ材料１を的確にスリットすることができる。
【００１６】
さらに、この装置の場合、レザー７ａ，７ｂの破損や摩耗毎に、それを新しいレザーと交換する必要があるが、交換するには、レバー１７によってそのロック作用を解除する。そして、アーム３の先端６において、取っ手１０によってホルダ２を引っ張ると、これをアーム３から引き抜くことができる。したがって、その後、プレート１３をホルダ２から取り外し、レザー７ａ，７ｂを新しいレザーと交換することができる。その後、プレート１３を再度取り付け、アーム３の先端６において、ホルダ２をアーム３の受けみぞ４にはめ込み、取り付け、つめ１９によってそれをロックすればよい。前記従来のように、アーム３の設置位置において、レザー７ａ，７ｂをアーム３から取り外し、再度取り付ける必要はなく、その作業は容易であり、安全である。ウエブ材料１によってレザー７ａ，７ｂを交換することが要求されたとき、その作業も同様であり、容易であり、安全である。
【００１７】
さらに、この装置のレバー１７については、刃先８の反対側でそれを操作し、揺動させ、レバー１７によってそのロック作用を解除することができ、刃先８およびウエブ材料１によって作業が阻害されることはなく、好ましい。複数のアーム３を支軸２２に取り付け、互いに密着させても、レバー１７によってそのロック作用を解除し、ホルダ２をアーム３から引き抜くことができ、レザー７ａ，７ｂを新しいレザーと交換することができる。さらに、長さＬおよび高さＨの異なる２種類のレザー７ａ，７ｂにおいて、ウエブ材料１によっていずれかを選択し、その刃先８によってウエブ材料１をスリットすることもできる。
【００１８】
図７は他の実施例を示す。この実施例では、ロック機構はそのロック作用を解除するプッシュバー２５を有し、プッシュバー２５はアーム３の側面５に平行にのびる。その方向はアーム３の長さ方向である。さらに、ピン２６がアーム３に組み込まれ、圧縮ばね２７によってピン２６が弾性付勢され、その収容みぞ２８がホルダ２に形成されており、ホルダ２がアーム３の受けみぞ４にはめ込まれたとき、ピン２６はホルダ２の収容みぞ２８に対向する。さらに、傾斜みぞ２９がプッシュバー２５に形成され、圧縮ばね３０によってプッシュバー２５が弾性付勢されており、傾斜みぞ２９によってピン２６が押され、ピン２６はホルダ２の収容みぞ２８にはめ込まれる。これによってホルダ２がロックされるものである。さらに、レザー７ａ，７ｂがアーム３の側面５に平行に配置され、アーム３の一方側において、刃先８がホルダ２およびアーム３から突出し、図１のレバー１７と同様、アーム３の他方側において、プッシュバー２５がアーム３から突出している。その位置はアーム３の先端６に隣接する。したがって、アーム３の先端６において、刃先８の反対側でプッシュバー２５を操作し、押すことができ、圧縮ばね２７をピン２６に作用させ、ピン２６をホルダ２の収容みぞ２８から抜き、プッシュバー２５の傾斜みぞ２９に収容することができる。したがって、プッシュバー２５によってそのロック作用を解除することができるものである。
【００１９】
図８も他の実施例を示す。この実施例では、ロック機構はそのロック作用を解除するレバー３１を有し、図７のプッシュバー２５と同様、レバー３１はアーム３の側面５に平行にのび、その方向はアーム３の長さ方向である。さらに、ピン３２がアーム３に設けられ、レバー３１を貫通し、レバー３１はピン３２のまわりを揺動可能である。さらに、ピン３３がアーム３に組み込まれ、レバー３１を貫通し、レバー３１の両側において、フランジ３４がピン３３に形成され、フランジ３４によってレバー３１とピン３３が組み合わされ、その収容みぞ３５がホルダ２に形成され、圧縮ばね３６によってレバー３１が弾性付勢されており、レバー３１およびフランジ３４によってピン３３が押され、ピン３３はホルダ２の収容みぞ３５にはめ込まれる。これによってホルダ２がロックされるものである。さらに、レザー７ａ，７ｂがアーム３の側面５に平行に配置され、アーム３の一方側において、刃先８がホルダ２およびアーム３から突出し、図７のプッシュバー２５と同様、アーム３の他方側において、レバー３１がアーム３から突出している。その位置はアーム３の先端６に隣接する。したがって、アーム３の先端６において、刃先８の反対側でレバー３１を押すと、レバー３１がピン３２のまわりを揺動し、レバー３１およびフランジ３４によってピン３３が引っ張られ、これがホルダ２の収容みぞ３５から引き抜かれる。したがって、レバー３１によってロック機構のロック作用を解除することができるものである。
【００２０】
さらに、図８の実施例でも、板ばね１５によってホルダ２が保持されることは図１の実施例と同様であるが、板ばねは樹脂材３７からなる先端を有する。樹脂材３７は棒状のものであり、アーム３の長さ方向にのびる。そして、その樹脂材３７がホルダ２のプレート１３に押し付けられ、これによってホルダ２が保持される。したがって、ホルダ２をアーム３の受けみぞ４にはめ込むとき、図９に示すように、樹脂材３７がホルダ２のプレート１３に押し付けられ、両者が相対的にスライドし、ホルダ２をアーム３から引き抜くとき、樹脂材３７とプレート１３が再度スライドするが、金属と異なり、樹脂材３７はなめらかである。したがって、プレート１３が摩耗することはない。摩耗するとしても、わずかであり、その寿命は長い。
【００２１】
なお、矩形状のレザー７ａ，７ｂではなく、丸刃をアームの適所に取り付け、丸刃によってウエブ材料をスリットすることもあるが、各実施例のアーム３については、それを支軸２２から取り外すことができるのは前述したとおりである。したがって、丸刃をアームの適所に取り付け、これを支軸２２に支持し、丸刃によってウエブ材料をスリットすることもできる。丸刃のあるアームについても、各実施例のアーム３の平坦面２３と同様、アームの一方側に平坦面を形成し、丸刃を平坦面よりもわずかに内側に位置させると、丸刃を取り付けたまま、平坦面を床面に接触させ、アームをその状態で直立させ、保管することができる。
【００２２】
【発明の効果】
以上説明したように、この発明によれば、ホルダ２をアーム３から引き抜き、その後、ホルダ２によってレザー７ａ，７ｂを交換することができ、その作業は容易であり、安全であり、所期の目的を達成することができるものである。
【図面の簡単な説明】
【図１】この発明の実施例を示す側面図である。
【図２】図１のレザーとホルダの関係を示す説明図である。
【図３】図１の装置の正面図である。
【図４】図１の装置の底面図である。
【図５】図１の装置のＡ−Ａ断面図である。
【図６】図１の装置のＢ−Ｂ断面図である。
【図７】他の実施例を示す側面図である。
【図８】他の実施例を示す側面図である。
【図９】図８の装置の底面図である。
【符号の説明】
１  ウエブ材料
２  ホルダ
３  アーム
４  受けみぞ
５  側面
６  先端
７ａ，７ｂ  レザー
８  刃先
１１  受けみぞ
１６ａ，１６ｂ  肩部
１７，３１  レバー
２５  プッシュバー
３７  樹脂材
【図１】
0004082890.tif 000002
【図２】
0004082890.tif 000003
【図３】
0004082890.tif 000004
【図４】
0004082890.tif 000005
【図５】
0004082890.tif 000006
【図６】
0004082890.tif 000007
【図７】
0004082890.tif 000008
【図８】
0004082890.tif 000009
【図９】
0004082890.tif 000010